(57)【要約】      （修正有）【課題】ゴルファーのスイング時における安定したテイクバックを行い頭部のぶれを抑制し、スイングの安定性を有効に向上させられ、コンパクトで携帯性に優れ、使用したい時にすぐ利用でき、またゴルファーの熟達度に応じて調節もできるゴルフ練習具を提供する。【解決手段】使用時に地上に載置され地上への設置を担う基台と、その基台に突設される複数の照準部材とを備え、各照準部材は、ゴルファーのスイング時の照準となり得る照準体と、その照準体と基台とを連結する支持体とを有する。複数の照準体の位置関係を、その複数の照準体とゴルファーの眼部とを一直線上に配置可能な位置関係とし、また、ゴルファーから遠方に配置され得る遠方照準体とゴルファーから近方に配置され得る近方照準体との構造関係を、近方照準体を介しての遠方照準体の見え方によって、ゴルファーが自身の頭部の変動を認知可能な構造関係とする。【選択図】図１
0003159475.tif 000002
【実用新案登録請求の範囲】
【請求項１】
ゴルファーがスイングを行う際の照準となり、その照準の見え方によって、自身の頭部の変動を認知することにより、スイングの安定性を向上させるゴルフ練習具であって、
使用時に地上に載置され地上への設置を担う基台と、その基台に突設される複数の照準部材とを備え、
各照準部材は、ゴルファーのスイング時の照準となり得る照準体と、その照準体と基台とを連結する支持体とを有し、
複数の照準体の位置関係が、その複数の照準体とゴルファーの眼部とを一直線上に配置可能な位置関係であり、また、ゴルファーから遠方に配置され得る遠方照準体とゴルファーから近方に配置され得る近方照準体との構造関係が、近方照準体を介しての遠方照準体の見え方によって、ゴルファーが自身の頭部の変動を認知可能な構造関係である
ことを特徴とするゴルフ練習具。
【請求項２】
遠方照準体と近方照準体が、１体ずつ設けられ、
ゴルフスイングのテイクバック前には、遠方照準体と近方照準体とゴルファーの眼部とが、一直線上には配置されず、ゴルフスイングのテイクバック時に、遠方照準体と近方照準体とゴルファーの眼部とが、一直線上に配置されるか、または、
ゴルフスイングのテイクバック前に、遠方照準体と近方照準体とゴルファーの眼部とが、一直線上に配置され、ゴルフスイングのテイクバック時には、遠方照準体と近方照準体とゴルファーの眼部とが、一直線上には配置されない、かのいずれかに配置可能である
請求項１に記載のゴルフ練習具。
【請求項３】
２体の遠方照準体と１体の近方照準体が設けられ、
ゴルフスイングのテイクバック前には、一方の遠方照準体と近方照準体とゴルファーの眼部とが、一直線上に配置され、
ゴルフスイングのテイクバック時には、他方の遠方照準体と近方照準体とゴルファーの眼部とが、一直線上に配置可能である
請求項１に記載のゴルフ練習具。
【請求項４】
１体の遠方照準体と２体の近方照準体が設けられ、
ゴルフスイングのテイクバック前には、遠方照準体と一方の近方照準体とゴルファーの眼部とが、一直線上に配置され、
ゴルフスイングのテイクバック時には、遠方照準体と他方の近方照準体とゴルファーの眼部とが、一直線上に配置可能である
請求項１に記載のゴルフ練習具。
【請求項５】
基台及び支持体が棒状であり、
基台と、遠方照準体または遠方照準体に連なる支持体とで、地上への設置が定められる
請求項１ないし４のいずれかに記載のゴルフ練習具。
【請求項６】
遠方照準体と近方照準体の少なくとも一方の大きさが可変であり、
ゴルファーの熟達度の向上に従い、遠方照準体と近方照準体の双方とも小さくするか、遠方照準体と近方照準体の大きさの差を小さくして、熟達度に合った利用が可能である
請求項１ないし５のいずれかに記載のゴルフ練習具。
【請求項７】
遠方照準体と近方照準体とが、色彩または形状の異なる目印となる物体であり、
近方照準体を介しての遠方照準体の見え方を、スイングの安定性の基準に利用可能である
請求項１ないし６のいずれかに記載のゴルフ練習具。
【請求項８】
近方照準体が、孔を有し、
その孔を介しての遠方照準体の見え方を、スイングの安定性の基準に利用可能である
請求項１ないし７のいずれかに記載のゴルフ練習具。
【請求項９】
遠方照準体が、発光部材を有し、
その発光部材の光の近方照準体による遮蔽のされ方を、スイングの安定性の基準に利用可能である
請求項１ないし８のいずれかに記載のゴルフ練習具。
【請求項１０】
近方照準体が、孔を有すると共に、遠方照準体が、発光部材を有し、
近方照準体の孔を介しての遠方照準体の光の見え方を、スイングの安定性の基準に利用可能である
請求項８に記載のゴルフ練習具。
【請求項１１】
遠方照準体に連なる支持体と近方照準体に連なる支持体の少なくとも一方の長さが可変であり、
ゴルファーの熟達度の向上に従い、少なくとも一方の支持体を長くし、遠方照準体と近方照準体の間隔を広くして、熟達度に合った利用が可能である
請求項１ないし１０のいずれかに記載のゴルフ練習具。
【請求項１２】
遠方照準体に連なる支持体と近方照準体に連なる支持体との間の角度が可変であり、
ゴルファーの熟達度の向上に従い、両支持体の間の角度を大きくし、遠方照準体と近方照準体の間隔を広くして、熟達度に合った利用が可能である
請求項１ないし１１のいずれかに記載のゴルフ練習具。
【考案の詳細な説明】
【技術分野】
【０００１】
本考案は、ゴルファーがスイングを行う際の照準となり、その照準の見え方によって、自身の頭部の変動を認知でき、照準に注意して練習することで、スイングの安定性を向上させられるゴルフ練習具に関する。
【背景技術】
【０００２】
ゴルフで安定したショットを行うには、スイングを安定させ、ボールを芯で打つことが大切である。スイングの安定性の目安として、安定したテイクバックを行い頭部のぶれを抑制することが挙げられる。テイクバック時には、後方への体重移動と共に、頭部も若干後方へ移動するが、その移動も安定したフォームであることが望まれる。
【０００３】
スイング時に頭部が動いているか否かは、ゴルファー自身のみならず、ゴルファーを観察する者にとっても見極め難い。
ゴルファーがスイングを行う際に視線を向ける照準を用いて、スイングの安定性を向上させる従来のゴルフ練習具には、特許文献１〜５がある。
しかし、従来技術による構成は、コンパクトで携帯性に優れ、プレイの合間など使用したい時にすぐ利用できるものとは言い難かった。また、ゴルファーの熟達度に応じて調節する構成は皆無であった。
【先行技術文献】
【特許文献】
【０００４】
【特許文献１】実開昭60-149668  「ゴルフ練習具」
【特許文献２】特開平５−３１７４７９  「ゴルフ練習機」
【特許文献３】実開平６−４１７７０  「ゴルフ訓練用具」
【特許文献４】特開平７−１４４０３７  「ゴルフ練習具」
【特許文献５】特開平１１−１３７７６２  「ゴルフスイング修正具」
【考案の概要】
【考案が解決しようとする課題】
【０００５】
そこで、本考案は、ゴルファーのスイング時において、安定したテイクバックを行い頭部のぶれを抑制し、スイングの安定性を有効に向上させられ、コンパクトで携帯性に優れ、使用したい時にすぐ利用でき、またゴルファーの熟達度に応じて調節もできるゴルフ練習具を提供することを課題とする。
【課題を解決するための手段】
【０００６】
上記課題を解決するために、本考案は以下の構成を備える。すなわち、ゴルファーがスイングを行う際の照準となり、その照準の見え方によって、自身の頭部の変動を認知することにより、スイングの安定性を向上させるゴルフ練習具であって、使用時に地上に載置され地上への設置を担う基台と、その基台に突設される複数の照準部材とを備え、各照準部材は、ゴルファーのスイング時の照準となり得る照準体と、その照準体と基台とを連結する支持体とを有し、複数の照準体の位置関係が、その複数の照準体とゴルファーの眼部とを一直線上に配置可能な位置関係であり、また、ゴルファーから遠方に配置され得る遠方照準体とゴルファーから近方に配置され得る近方照準体との構造関係が、近方照準体を介しての遠方照準体の見え方によって、ゴルファーが自身の頭部の変動を認知可能な構造関係であることを特徴とする。
【０００７】
ここで、遠方照準体と近方照準体を、１体ずつ設け、ゴルフスイングのテイクバック前には、遠方照準体と近方照準体とゴルファーの眼部とが、一直線上には配置されず、ゴルフスイングのテイクバック時に、遠方照準体と近方照準体とゴルファーの眼部とが、一直線上に配置されるか、または、ゴルフスイングのテイクバック前に、遠方照準体と近方照準体とゴルファーの眼部とが、一直線上に配置され、ゴルフスイングのテイクバック時には、遠方照準体と近方照準体とゴルファーの眼部とが、一直線上には配置されない、かのいずれかに配置可能である構成にしてもよい。
【０００８】
或いは、２体の遠方照準体と１体の近方照準体を設け、ゴルフスイングのテイクバック前には、一方の遠方照準体と近方照準体とゴルファーの眼部とが、一直線上に配置され、ゴルフスイングのテイクバック時には、他方の遠方照準体と近方照準体とゴルファーの眼部とが、一直線上に配置可能である構成にしてもよい。
【０００９】
或いは、１体の遠方照準体と２体の近方照準体を設け、ゴルフスイングのテイクバック前には、遠方照準体と一方の近方照準体とゴルファーの眼部とが、一直線上に配置され、ゴルフスイングのテイクバック時には、遠方照準体と他方の近方照準体とゴルファーの眼部とが、一直線上に配置可能である構成にしてもよい。
【００１０】
基台及び支持体を棒状とし、基台と、遠方照準体または遠方照準体に連なる支持体とで、地上への設置を定める構造にして、構成の簡素化に寄与させてもよい。
【００１１】
また、遠方照準体と近方照準体の少なくとも一方の大きさを可変とし、ゴルファーの熟達度の向上に従い、遠方照準体と近方照準体の双方とも小さくするか、遠方照準体と近方照準体の大きさの差を小さくして、熟達度に合った利用に寄与させてもよい。
【００１２】
遠方照準体と近方照準体とを、色彩または形状の異なる目印となる物体とし、近方照準体を介しての遠方照準体の見え方を、スイングの安定性の基準に利用可能な構成にしてもよい。
【００１３】
近方照準体に、孔を設け、その孔を介しての遠方照準体の見え方を、スイングの安定性の基準に利用可能な構成にしてもよい。
【００１４】
遠方照準体に、発光部材を設け、その発光部材の光の近方照準体による遮蔽のされ方を、スイングの安定性の基準に利用可能な構成にしてもよい。
【００１５】
近方照準体に孔を設けると共に、遠方照準体に発光部材を設け、近方照準体の孔を介しての遠方照準体の光の見え方を、スイングの安定性の基準に利用可能な構成にしてもよい。
【００１６】
遠方照準体に連なる支持体と近方照準体に連なる支持体の少なくとも一方の長さを可変とし、ゴルファーの熟達度の向上に従い、少なくとも一方の支持体を長くし、遠方照準体と近方照準体の間隔を広くして、熟達度に合った利用に寄与させてもよい。
【００１７】
遠方照準体に連なる支持体と近方照準体に連なる支持体との間の角度を可変とし、ゴルファーの熟達度の向上に従い、両支持体の間の角度を大きくし、遠方照準体と近方照準体の間隔を広くして、熟達度に合った利用に寄与させてもよい。
【考案の効果】
【００１８】
本考案によると、基台と複数の照準体のみの簡素な構成であるため、コンパクトで携帯性に優れ、使用したい時にすぐ利用でき、近方照準体を介しての遠方照準体の見え方によって、ゴルファーが自身の頭部の変動を容易かつ有効に認知できるので、スイング時において、安定したテイクバックを行い頭部のぶれを抑制し、スイングの安定性を有効に向上させられる。また、照準に適する難易度を変えられるので、ゴルファーの熟達度に応じた使用もでき、多くのゴルファーに供することができる。
【図面の簡単な説明】
【００１９】
【図１】本考案によるゴルフ練習具の要部斜視図
【図２】同、使用状態においてゴルファーからの視線によるゴルフ練習具の正面図（（ア）（イ）は、使用形態の相違による照準の見え方の相違）
【図３】別実施例のゴルフ練習具の要部斜視図
【図４】同、使用状態においてゴルファーからの視線によるゴルフ練習具の正面図
【図５】別実施例のゴルフ練習具の要部斜視図
【図６】同、使用状態においてゴルファーからの視線によるゴルフ練習具の正面図
【図７】別実施例のゴルフ練習具の要部斜視図
【図８】別実施例のゴルフ練習具の要部斜視図
【考案を実施するための最良の形態】
【００２０】
以下に、本考案の実施形態を、図面に示す実施例を基に説明する。なお、実施形態は下記の例示に限らず、本考案の趣旨から逸脱しない範囲で、前記文献など従来公知の技術を用いて適宜設計変更可能である。
また、以下の実施例では、器具の要部を説述するが、構造細部及び周辺装置は、標準的に用いられている従来公知の技術を適宜適用可能である。
【００２１】
図１は、本考案によるゴルフ練習具の要部斜視図である。
ゴルフ練習具は、使用時に地上に載置され地上への設置を担う基台（１０）と、その基台（１０）に突設される複数の照準部材（２０）（３０）とを備える。各照準部材（２０）（３０）は、ゴルファーのスイング時の照準となり得る照準体（２１）（３１）と、その照準体（２１）（３１）と基台（１０）とをそれぞれ連結する支持体（２２）（３２）とを有する。
図示の例では、基台（１０）も支持体（２２）（３２）も直線の棒状であり、照準体（２１）（３１）は略球状であり、基台（１０）と、ゴルファーから遠方に配置され得る方の遠方照準体（２１）とで、地上への設置が定められる。
【００２２】
図示の基台（１０）の形状は、一本の直線の棒状であるが、複数本の棒状や、曲線の棒状や、板状などでもよく、地上への設置性と携帯の利便性を備えれば形状は任意である。
同様に、図示の支持体（２２）（３２）は直線の棒状であるが、複数本の棒状や、曲線の棒状や、板状などでもよく、照準体（２１）（３１）の支持と基台（１０）との接続に難がなければ形状は任意である。
なお、支持体（２２）（３２）を基台（１０）に接続する構造と、照準体（２１）（３１）を支持体（２２）（３２）に接続する構造は、従来公知の機構を適宜利用できる。
【００２３】
また、図示の照準体（２１）（３１）の形状は、略球形であるが、平板状でもよく、ゴルファーからの見え方も、略円形の他、楕円状、多角形や、特定のデザインを有した形状でもよい。
【００２４】
両照準体（２１）（３１）の構造の関係は、ゴルファーから遠方に配置され得る遠方照準体（２１）とゴルファーから近方に配置され得る近方照準体（３１）とゴルファーの眼部とを一直線上に配置可能な位置関係であり、また、近方照準体（３１）を介しての遠方照準体（２１）の見え方によって、ゴルファーが自身の頭部の変動を認知可能な関係であれば任意である。
なお、図示の例では、近方照準体（３１）の径を、遠方照準体（２１）の径より若干大きくしてある。
【００２５】
本実施例では、遠方照準体（２１）と近方照準体（３１）とが、１体ずつ設けられている。
２体の遠方照準体（２１）（２１’）と１体の近方照準体（３１）とを備える実施例と、１体の遠方照準体（２１）と２体の近方照準体（３１）（３１’）とを備える実施例については後述するが、遠方照準体（２１）も近方照準体（３１）も３体以上備えてもよいし、それらは、必ずしも分離した独立体である必要なく、連続した形状でもよい。
【００２６】
図２は、使用状態においてゴルファーからの視線によるゴルフ練習具の正面図であり、図２（ア）と図２（イ）は、使用形態の相違を示す。なお、使用形態は、右利きのゴルファーの場合で説明する。
基本的な使用法は、基台（１０）と遠方照準体（２１）とを地上に載置して設定し、ゴルファーは、近方照準体（３１）を介した遠方照準体（２１）の見え方に注意しながらスイングを行う。
【００２７】
図２（ア）の使用形態例の場合では、テイクバック前には、遠方照準体（２１）と近方照準体（３１）とゴルファーの眼部とが一直線上には配置されず、遠方照準体（２１）が近方照準体（３１）の左部に見えている。テイクバック時には、右側（打球の飛ぶ方向の後方）への体重移動と共に、頭部も若干右へ移動するため、遠方照準体（２１）と近方照準体（３１）とゴルファーの眼部とが、一直線上に配置され、遠方照準体（２１）と近方照準体（３１）とが重なって見える配置になり得る。
そこで、テイクバック時に、遠方照準体（２１）が近方照準体（３１）に遮蔽されて見えない配置に設定することで、遠方照準体（２１）が見えるか否か、また、見え方の特徴によって、自身の頭部の変動、特にテイクバック動作の安定性を認知することができ、スイングの安定性の向上に反映させることができる。
【００２８】
同様に、図２（イ）の使用形態例の場合では、テイクバック前には、遠方照準体（２１）と近方照準体（３１）とゴルファーの眼部とが一直線上に配置され、遠方照準体（２１）が近方照準体（３１）に遮蔽されて見えず、テイクバック時には、右側（打球の飛ぶ方向の後方）への体重移動と共に、頭部も若干右へ移動するため、遠方照準体（２１）が近方照準体（３１）の右部にずれて見える配置になり得る。
そこで、テイクバック時に、近方照準体（３１）に遮蔽されて見えなかった遠方照準体（２１）が、右に現れて見えるか否か、また、見え方の特徴によって、自身の頭部の変動、特にテイクバック動作の安定性を認知することができ、スイングの安定性の向上に反映させることができる。
【００２９】
ここで、近方照準体（３１）と遠方照準体（２１）の大きさに差があるほど、図２（ア）のように、遠方照準体（２１）が近方照準体（３１）に遮蔽されて見えない状態を維持しやすい。
そこで、ゴルファーの熟達度に応じて、近方照準体（３１）と遠方照準体（２１）の大きさの差を設定し、各ゴルファーに合った利用に供してもよい。すなわち、熟達度が高いほど、近方照準体（３１）と遠方照準体（２１）の大きさを近くする。逆に熟達度が低い場合は、近方照準体（３１）を大きくするか、遠方照準体（２１）を小さくするか、その両方を行えばよい。
【００３０】
また、近方照準体（３１）と遠方照準体（２１）の双方を大きさの設定によっても、各ゴルファーの熟達度に合った利用に供せる。すなわち、小さいほど、ゴルファーの頭部の変動に影響するので、熟達度が高いほど、近方照準体（３１）と遠方照準体（２１）の双方を小さくする。
【００３１】
近方照準体（３１）と遠方照準体（２１）は、それぞれ支持体（３２）（２２）に対して着脱自在に構成して、必要に応じて大きさや形状の異なる物に取り替えられるようにしてもよい。
また、近方照準体（３１）と遠方照準体（２１）は、大きさが可変な部材で構成してもよい。そのような部材としては、例えば、ゴムボールや風船のように空気の注入で容易に大きさの変えられる物が挙げられる。
【００３２】
近方照準体（３１）と遠方照準体（２１）は、重なって見える位置に配置されるので、両者は識別しやすい構造が好ましい。
その識別のためには、例えば、色彩や形状に差異を設定することが挙げられる。
【００３３】
上記実施例では、近方照準体（３１）を、遠方照準体（２１）より大きくしたが、その逆の大きさに設定してもよい。
図３は、別実施例であり、図４は、その使用状態においてゴルファーからの視線によるゴルフ練習具の正面図であり、図２（ア）と同様の使用形態の場合における照準の見え方を示す。
近方照準体（３１）は小さな球であり、遠方照準体（２１）は大きな板である。
テイクバック前には、遠方照準体（２１）と近方照準体（３１）とゴルファーの眼部とが一直線上には配置されず、近方照準体（３１）は遠方照準体（２１）の隅に位置して見えたり、離れて見えている。テイクバック時には、右側（打球の飛ぶ方向の後方）への体重移動と共に、頭部も若干右へ移動するため、遠方照準体（２１）と近方照準体（３１）とゴルファーの眼部とが、一直線上に配置され、近方照準体（３１）が遠方照準体（２１）の中央部に位置して見える配置になり得る。
そこで、テイクバック時に、近方照準体（３１）が遠方照準体（２１）の中央部に位置して見えるか否か、また、見え方の特徴によって、自身の頭部の変動、特にテイクバック動作の安定性を認知することができ、スイングの安定性の向上に反映させることができる。
なお、図２（イ）と同様の使用形態も可能である。
【００３４】
図５は、別実施例であり、図６は、その使用状態においてゴルファーからの視線によるゴルフ練習具の正面図であり、図２（ア）と同様の使用形態の場合における照準の見え方を示す。
近方照準体（３１）に孔（３３）が備わる。
テイクバック前には、遠方照準体（２１）と近方照準体（３１）とゴルファーの眼部とが一直線上には配置されず、遠方照準体（２１）は近方照準体（３１）に遮蔽されて見えなかったり、離れて見える。テイクバック時には、右側（打球の飛ぶ方向の後方）への体重移動と共に、頭部も若干右へ移動するため、遠方照準体（２１）と近方照準体（３１）とゴルファーの眼部とが、一直線上に配置され、遠方照準体（２１）が近方照準体（３１）の孔（３３）の内部に見える配置になり得る。
そこで、テイクバック時に、遠方照準体（２１）が近方照準体（３１）の孔（３３）の内部に見えるか否か、また、見え方の特徴によって、自身の頭部の変動、特にテイクバック動作の安定性を認知することができ、スイングの安定性の向上に反映させることができる。
なお、図２（イ）と同様の使用形態も可能である。
【００３５】
図示の例の孔（３３）は円形であるが、横長の楕円や、横長の長方形などにし、その孔内における遠方照準体（２１）の移動を視認することで、自身の頭部の変動、特にテイクバック動作の軌跡を認知しやすくしてもよい。
【００３６】
遠方照準体（２１）の認知を容易にするため、電球等の発光部材を配してもよい。
【００３７】
また、支持体（２２）（３２）に、例えば伸縮アンテナのような伸縮構造を設けて、伸縮自在するか、曲折容易な針金で構成して、全長を調節自在にするなどにより、長さを可変にしてもよい。
少なくとも一方の支持体（２２）（３２）を長くして、近方照準体（３１）と遠方照準体（２１）の間隔を広げると、両者は重なりにくくなるので、熟達度の高いゴルファーに合った利用が可能となる。
【００３８】
同様に、遠方支持体（２２）と近方支持体（３２）の間の角度を可変に構成してもよい。
遠方支持体（２２）と近方支持体（３２）の間の角度を大きくすると、両者は離れて重なりにくくなるので、熟達度の高いゴルファーに合った利用が可能となる。
このように、支持体（２２）（３２）の調整によって、各ゴルファーに適した利用に供してもよい。
【００３９】
図７は、別実施例のゴルフ練習具の要部斜視図である。
本実施例では、２体の遠方照準体（２１）（２１’）と、１体の近方照準体（３１）とを備える。
ゴルフスイングのテイクバック前には、視線（Ａ）のように、一方の遠方照準体（２１）と近方照準体（３１）とゴルファーの眼部とが一直線上に配置され、ゴルフスイングのテイクバック時には、視線（Ｂ）のように、他方の遠方照準体（２１’）と近方照準体（３１）とゴルファーの眼部とが一直線上に配置可能である。
２体の遠方照準体（２１）（２１’）の形状や大きさや色彩などに差異をもたせておくと、どちらの遠方照準体（２１）（２１’）と近方照準体（３１）とが重なって見えているか視認しやすくなる。
【００４０】
図８は、別実施例のゴルフ練習具の要部斜視図である。
本実施例では、１体の遠方照準体（２１）と、２体の近方照準体（３１）（３１’）とを備える。
ゴルフスイングのテイクバック前には、視線（Ａ）のように、遠方照準体（２１）と一方の近方照準体（３１）とゴルファーの眼部とが一直線上に配置され、ゴルフスイングのテイクバック時には、視線（Ｂ）のように、遠方照準体（２１）と他方の近方照準体（３１’）とゴルファーの眼部とが一直線上に配置可能である。
２体の近方照準体（３１）（３１’）の形状や大きさや色彩などに差異をもたせておくと、どちらの近方照準体（３１）（３１’）と遠方照準体（２１）とが重なって見えているか視認しやすくなる。
【００４１】
なお、頭部の変動の大きさや方位についての許容範囲は、個々のゴルファーのスイングの癖なども考慮に入れて設定してもよい。
【産業上の利用可能性】
【００４２】
本考案によると、各ゴルファーの熟達度に応じ、安定したテイクバックを行い頭部のぶれを抑制できるので、多数のゴルファーに対してスイングを安定させられる。また、コンパクトで携帯性に優れ、使用したい時にすぐ利用できる利点もあり、実用的であり産業上利用価値が高い。
【符号の説明】
【００４３】
１０  基台
２０  遠方照準部材
２１、２１’  遠方照準体
２２  遠方支持体
３０  近方照準部材
３１、３１’  近方照準体
３２  近方支持体
３３  孔
【図１】
0003159475.tif 000003
【図２】
0003159475.tif 000004
【図３】
0003159475.tif 000005
【図４】
0003159475.tif 000006
【図５】
0003159475.tif 000007
【図６】
0003159475.tif 000008
【図７】
0003159475.tif 000009
【図８】
0003159475.tif 000010